(57)【要約】  ウェアラブルおよび／またはウェアラブルマウントは、従来の、ウェアラブルおよびウェアラブルマウントに提示される多くの課題を解決する。例えば、ウェアラブルマウントは、接着材接触面積のウェアラブルマウント接触面積に対し、低比率で設計することができ、一方、データの収集および／または１つの特定のスポットにて投薬する能力を提供し、さらになお、接着材を容易に取り除く使用を可能とする。この構成は、ウェアラブルマウントが皮膚に取り付けられた場合でさえ、体の自由な動きを容易にしてよい。ウェアラブルは、面コンタクトを有してよく、損傷を受けた可能性のあるポート取り外す必要性を取り除く。接着層は、デバイスが着用されている間、コンタクトに対して絶縁および分離特性を提供することができる。最終的に、ウェアラブルは、ハウジングの変化または他のコストのかかる解決法を必要とすることなく、ウェアラブルの外観を変えることを可能とするパッチ型ウェアラブルであってよい。
2019518576.tif 000002
【特許請求の範囲】
【請求項１】
ユーザにウェアラブルを取り付けるシステムであって、
前記システムは、
皮膚接触側およびウェアラブル接触側を有する接着層と、
前記接着層を皮膚に接着させるべく前記皮膚接触側の一部に設けられている第１の接着材であって、前記一部は、前記接着層の前記皮膚接触側の面積の５０％以下である、第１の接着材と、
前記接着層の前記ウェアラブル接触側の一部に設けられている第２の接着材であって、前記接着層に前記ウェアラブルの一部を取り付ける、第２の接着材と、
前記接着層の前記皮膚接触側の内部に設けられる連続的な接着外周部であって、内部に空間が形成されている連続的な接着外周部と
を備えるシステム。
【請求項２】
前記空間は、前記接着層に形成されている切り欠きである、請求項１に記載のシステム。
【請求項３】
前記第１の接着材は、前記接着層の端部に配置されている、請求項１に記載のシステム。
【請求項４】
前記第２の接着材は、前記ウェアラブルに配置されているコンタクトを被覆し、前記第２の接着材は、前記コンタクトを電気的に分離且つ絶縁する、請求項１に記載のシステム。
【請求項５】
前記コンタクトは、前記ウェアラブルの表面に配置されている１つまたは複数の同一平面コンタクトである、請求項４に記載のシステム。
【請求項６】
前記第２の接着材は、前記接着層の前記ウェアラブル接触側の一部に配置されている、請求項１に記載のシステム。
【請求項７】
前記第２の接着材を有する前記ウェアラブル接触側の前記一部は、前記ウェアラブルの取り付け側の面積より小さい面積を有する、請求項６に記載のシステム。
【請求項８】
前記ウェアラブルの上面の少なくとも一部は、接着性粘着材から形成される、請求項１に記載のシステム。
【請求項９】
前記接着性粘着材は、前記ウェアラブルの底面と同じ材料である、請求項８に記載のシステム。
【請求項１０】
前記ウェアラブルの前記上面の前記一部に接着されるよう構成される１つまたは複数の交換可能な部分をさらに備える、請求項８に記載のシステム。
【請求項１１】
前記接着層は、弾力性が高い材料から形成される、請求項１に記載のシステム。
【請求項１２】
ウェアラブルであって、
前記ウェアラブルは、
上面と、
接着層に接着するよう構成される反対側の底面と、
前記ウェアラブルの前記底面に同一平面実装コンタクトとして配置される１つまたは複数のコンタクトと、
皮膚接触側およびウェアラブル接触側を有する接着層と、
前記接着層を皮膚に接着させるべく前記皮膚接触側の一部に設けられている第１の接着材であって、前記一部は、前記接着層の前記皮膚接触側の面積の５０％以下である、第１の接着材と、
前記接着層の前記ウェアラブル接触側の一部に設けられている第２の接着材であって、前記接着層に前記ウェアラブルの一部を取り付ける、第２の接着材と、
前記接着層の前記皮膚接触側の内部に設けられる連続的な接着外周部であって、内部に空間が形成されている連続的な接着外周部と
を備え、前記１つまたは複数のコンタクトは、接着材を用いて前記ウェアラブルを前記接着層に接着する領域に配置される、
ウェアラブル。
【請求項１３】
前記第１の接着材は、前記接着層の端部に配置される、請求項１２に記載のウェアラブル。
【請求項１４】
前記第２の接着材は、前記接着層の前記ウェアラブル接触側の一部に配置され、前記第２の接着材を有する前記ウェアラブル接触側の前記一部は、前記ウェアラブルの取り付け側の面積より小さい面積を有する、請求項１２に記載のウェアラブル。
【請求項１５】
前記ウェアラブルの前記上面の少なくとも一部は、接着性粘着材から形成される、請求項１２に記載のウェアラブル。
【請求項１６】
ユーザにウェアラブルを取り付ける接着層であって、
皮膚接触側およびウェアラブル接触側と、
前記接着層を皮膚に接着させるべく前記皮膚接触側の一部に設けられている第１の接着材であって、前記一部は、前記接着層の前記皮膚接触側の面積の５０％以下である、第１の接着材と、
前記接着層の前記ウェアラブル接触側の一部に設けられている第２の接着材であって、前記接着層に前記ウェアラブルの一部を取り付けるよう構成される、第２の接着材と、
前記接着層の前記皮膚接触側の内部に配置される連続的な接着外周部であって、前記連続的な外周は、内部に空間が形成されている、連続的な接着外周部と
を備える
接着層。
【請求項１７】
前記空間は、前記接着層に形成されている切り欠きである、請求項１６に記載の接着層。
【請求項１８】
前記接着層は、弾力性が高い材料から形成される、請求項１６に記載の接着層。
【発明の詳細な説明】
【技術分野】
【０００１】
本発明の１つまたは複数の実施形態は概して、ウェアラブル装置に関する。より具体的には、本発明は、人体および他の適用可能な哺乳類の体で使用することを目的とするウェアラブルの物理的設計の特徴および仕様に関する。ウェアラブルは、特定の位置であってもなくても、ドリフト制約が０または最小である、接触方式または近接非接触方式のいずれかにおいて、体からの情報を収集するセンサを備えていても、備えていなくてもよい。
【背景技術】
【０００２】
以下の背景技術に関する記載は、従来技術の特定の態様の例（例えば、これらに制限されないが、方策、事実、または通念）に関してであってよく、従来技術のさらなる態様に関して読者が理解を深める上で有用であることが期待されるが、本発明または任意の実施形態を、以下に記述もしくは暗示した内容、または以下から類推される内容に限定するものとして解釈されるべきでない。
【０００３】
接着材を用いて体に取り付けられたウェアラブルは、使用時にウェアラブルが体に衝突することを低減するよう配置される。これは、ユーザが不快感を感じないために必要である。ユーザが不快感を感じると、意図されたようにウェアラブルを利用したくなくなったり、または、使用を中止したりたまにしか利用しなくなったりすることになる。従って、ウェアラブルは、体の動きに対応しなければならなく、この事実に起因して、ウェアラブルは、例えば、手首、耳、脚等の表面の変化が最小である体の一部に着用するよう実現され、他の箇所で実施しなければならない場合には、ウェアラブルを体に取り付ける方法が難しくなる。これら取り付け方法の問題は、ベルト、バンド、衣料品、強力な接着材、および大型の接着材等の使用によって、ユーザに不快感を感じさせる原因になり得る点にある。
【０００４】
従来のウェアラブルは、大型の接着材を専ら利用することが多く、この場合は、ウェアラブル全体およびその周りのかなりの範囲が接着材で被覆されている。さらに、多くの従来のウェアラブルは、強力な接着材を使用する。
【０００５】
ある期間にわたって装着者についてモニタリングおよび／または情報収集することを意図しているウェアラブルは、水分に暴露されことになり、装着者がウェアラブルに設けられている電気コンタクトをショートさせるリスクにつながる場合がある。これらの課題に対処すべく、従来のウェアラブルは、ウェアラブル着用中に電気ポートを覆うカバーを含む。皮膚と接触しないよう保護するべく電気コンタクトを被覆することは、表面上にあるか、突出しているか、または窪んでいるかに関わらず、十分簡単である。しかしながら、水分の侵入を防止または低減させるべくこれらのコンタクトを被覆することで、ことで、密封度を上げること、または他のポジティブ（ｐｏｓｉｔｉｖｅ）な封止方法が必要になる。常に、これらのタイプのカバーは、引き剥がされたり、変形したり、または損傷を受けたりするので、日常の使用に起因して動作不能となり、上記で特定されたのと同様のリスクをもたらす。さらになお、ウェアラブルをよりさらに強固にしようとすると、結果としてより大きな形状となり、それに対応するべくウェアラブルの一部の寸法を増大させる必要が出てくる。本来、ウェアラブルというものは、意図としては、デバイスは可能な限り小型且つ軽量の形状を持つことで皮膚への負担を低減し、機能、美観等を実現する。
【０００６】
ウェアラブルがポートを有する場合、当該ポートは通常、フリップカバー、プレスカバー、およびスクリューカバー等を有する凹部として形成されているマイクロユニバーサルシリアルバス（ＵＳＢ）ポートである。一部の従来のウェアラブルはさらに通信ポートを含むが、フィールドアップグレードのために存在し、ほとんど使用されない。
【０００７】
従来のウェアラブルは、破棄または低頻度の使用に終わってしまうリスクがあり、意図した利用による有効性が低減してしまう結果となる。これは、慢性疾患の治療等の、一貫してデータ収集またはモニタリングを行う必要がある用途が使用目的に含まれる場合に特に重大な点である。従って、本来の利用目的とは別途、ユーザにウェアラブルを取り付ける方法は、ウェアラブルの設計および動作において重要な部分である。さまざまな方策が採用され、例えば、ユーザがウェアラブルを取り外す必要度の低減、一貫した使用を条件とするインタラクション用のアプリおよびソフトウェアを添付するというゲーミフィケーション、宝飾品類および他の衣料品への組み込み、腕時計またはイヤホン等の他の普及したウェアラブルシステムへの組み込み、および、最も重要な方策として、ユーザが所望通りにウェアラブルの外観を変えることを可能とすることが挙げられる。特定の用途、使用場所および使用条件等に応じて、これらの方策が適用可能であるか否かは異なる。ウェアラブルは多くの場合、胴体上部で着用しなければならず、毎日１日の大半にわたっての着用する必要があり、子供および若者が利用しなければならない。さらに、ウェアラブルは、比較的低コストで製造されるべきであり、使用コストは、最小であるべきである。このように要件が両立しないので、上記の方法のほとんどは適用することができず、ウェアラブルの外観変更機能は一般的に、はるかに高コストとなる。
【０００８】
ユーザがウェアラブルの外観を変更するという選択肢はほとんどない。手足に着用する一部の従来のウェアラブルは、例えば、ハウジングまたはバンドを変更し得る。
【０００９】
上記から分かるように、ウェアラブルについては、体にウェアラブルを取り付けて、装着者を不快にさせる可能性を低減しつつ動きを可能とし、デバイス利用時には常に、封止機構を利用することなくコンタクトを絶縁および分離し、ウェアラブルの雰囲気を反映するべくウェアラブルの外観を変更することを可能とすることが求められている。
【発明の概要】
【００１０】
本発明の実施形態は、皮膚接触側およびウェアラブル接触側とを有する接着層と、接着層を皮膚に接着させるための皮膚接触側の一部に第１の接着と、当該一部は、接着層の皮膚接触側の面積の５０％以下であり、接着層のウェアラブル接触側の一部に第２接着と、接着層にウェアラブルの一部を取り付ける第２接着とを備え、当該第２接着は、ウェアラブルの一部を取り付ける、ユーザにウェアラブルを取り付けるシステムを提供する。
【００１１】
本発明の実施形態はさらに、上面と、接着層に接着するよう構成される反対側の表面である底部と、ウェアラブルの底面に接触する同一平面マウントとして配置される１つまたは複数の接触と、皮膚接触側およびウェアラブル接触側を有する接着層と、当該接触は、ウェアラブルを接着層に接着するために用いられる接着の領域に配置される、ウェアラブルを提供する。
【００１２】
本発明の実施形態は、また、皮膚接触側およびウェアラブル接触側と、接着層を皮膚に接着させるための皮膚接触側の一部に第１の接着と、当該一部は、接着層の皮膚接触側の面積の５０％以下であり、接着層のウェアラブル接触側の一部に第２接着と、接着層にウェアラブルの一部を取り付ける第２接着とを有し、当該第２接着は、ウェアラブルの一部を取り付けるよう構成される、ユーザにウェアラブルを取り付ける接着層を提供する。
【００１３】
いくつかの実施形態において、皮膚との接触または特定位置への配置を必要とするウェアラブルのセンサエリアは、そのようなセンサが必要である限りにおいて、周りに平坦な円形領域を有する。さらになお、理想的には、ウェアラブルが、体が動くと体にぴったりとなるよう可撓性を有するべきである。対応するウェアラブルマウント（接着層とも称される）は、ウェアラブルのうち指定された平坦部分に対応する接着材リングを有する。この接着材は、高強度接着材であってよく、接着層をウェアラブルに接合する。すなわち、皮膚に接触しない。接着層のうち指定されたエリアの中央のエリアは、センサまたは他の同様のデバイスの皮膚への接触を可能にする孔部であってよい。接着層のうち、ウェアラブル側の残りの部分は、ウェアラブルに粘着しない。そして、接着層の皮膚側は、それぞれのポイントにて接着材の取り外しが容易なスポットを有する。例えば、三角形状は３つのスポットを有し、４つの辺を有する層は４つのスポットを有し、以下同様としてよい。さらに、接着層は、体の動きに適合するべく十分に延びる材料から作成することができるが、収縮可能となるよう形状記憶を持つ。例えば、接着層が胸部エリアに取り付けられた場合、腹部の筋肉を用いて前屈するにつれて、皮膚が収縮することにより接着層のポイント同士がより接近することとなり、続いて後屈することで胸部エリアは拡大し、それに伴って接着層が拡大する。この動きの間、ウェアラブル弾力性の低下に皮膚が制限されないので、ウェアラブルが不快感を与えるリスクは低くなる。ウェアラブルが可撓性を持つ場合、体の外形の変化はさらに吸収される。可撓性のウェアラブルまたは固定されたウェアラブルが体に取り付けられた場合、体が動くにつれて、ウェアラブルに密着した皮膚は、動きによって、強制的にずれたり引っ張られたりする。この結果、ウェアラブルが剥がれてしまう。ここで、現在利用可能な解決策は、ウェアラブルを被覆するする非常に強力な接着材または大きな接着材を採用することである。本発明の本実施形態を用いることで、接着層が皮膚と共に伸びることが可能であるので、容易に剥離できる接着材を使用することができる。これはウェアラブルを長期間にわたって使用する上で重要であるので、皮膚へのダメージが少なくなる。本発明によれば、皮膚が激しく動くと、ウェアラブルがウェアラブルマウント上で浮動するので、不快感が低減する。
【００１４】
いくつかの実施形態において、ウェアラブルに組み込まれるか、または、層として取り付けられるいずれかの方法で、ウェアラブルより、そして、可能な限りにおいて、皮膚の動きよりも高い弾力性を有する材料の層が設けられる。これにより、接着層のウェアラブル側を、より多くのポイントでウェアラブルと接続することができる。これは、多くのセンサ、より重いウェアラブル、および厳格な環境下でのウェアラブルの使用等に対応する、という利点を提供する。このような使用の場合、皮膚が動くにつれて、ウェアラブルが持つ高い弾力性の層は、皮膚に合わせて動くので、皮膚の動きに制限がかからず、従って不快感が低減される。また、制限型および可撓型のウェアラブルの両方を使用してよい。
【００１５】
いくつかの実施形態において、ウェアラブルは、ウェアラブルの皮膚側の表面に必要なコンタクトのすべてを有しており、コンタクトと当該表面と同一平面である。通常、これらのコンタクトは皮膚に接触する可能性があり、または、水分がこれらのコンタクトに侵入する可能性がある。ウェアラブルを適切な接着層とだけ組み合わせて利用することによって、接着層はポートを被覆してポートを皮膚から隔離する。さらに、接着リングは、ポートを封止することができ、水分が侵入しないようにし、および／または、水分コンタクト間で移動しないようにする。ウェアラブルが充電のために配置された場合に接着材は取り外すことができるので、低電力状態のコンタクトが露出する。再び使用するために取り付ける前に、皮膚の炎症を低減する上で必要となるので新しい接着材が使用され、同時に絶縁特性および分離特性も回復させる。最終結果は、これら２つの重要な安全策を実施する上でインフラストラクチャを追加する必要がないので、ウェアラブルのフォームファクタを小さくすることが可能となる。さらに、従来のウェアラブルのポートのためのカバーは、損傷または紛失のために、デバイスの動作が不可能になってしまう。デバイスは洗浄によって接着材を落とすことができる点に留意すべきである。ウェアラブルは、これらの活動を検出してこれらの活動のためにポートを遮断することができるさまざまな電力管理コンポーネントを有する傾向があるためである。
【００１６】
いくつかの実施形態において、ウェアラブルの下側に使用される材料は、外側と同じであるとしてもよいし、または少なくとも、下側に使用される接着材と相性が良いとしてよい。この特徴によって接着層をデバイスの外側に配置することが可能になる。これの意味するところは、異なる形状、色、または模様等として構成される、紙、箔、またはプラスチック等の任意の相性の良い材料をウェアラブルの外側に粘着させることが容易になり、ウェアラブルの外観を変更するという効果が得られる。この段階は現時点において可能ではない。理由は、大半のウェアラブルが有する接着材は、実際のウェアラブルを適正位置に保持するものであって、上部を横断するように設けられており、または、上部の材料はシリコーンベース材料で形成されており、その上に接着材を保持する機能が低い。そのような特徴によって、異なる形状の紙等またはキャラクターが記載された紙等、または物体を図示している紙等、に子供が貼り付けることが可能となるので、子供たちがデバイスを利用する際に快適に使用することができる。これは、子供がお気に入りのキャラクターがプリントされた肌着を着用することと同様に、子供に安心感を与える。特に、子供が不快な状況にある場合に有益である。
【００１７】
本発明におけるこれらの特徴および他の特徴、態様および利点は、以下の図面、説明、および請求項を参照することによってより良い理解がされることとなる。
【図面の簡単な説明】
【００１８】
本発明のいくつかの実施形態は、例として図示され、同様の参照符号は同様な要素を示してよく、添付の図面の図によって限定されない。
【図１】本発明の例示的な実施形態に係るウェアラブルデバイスのための接着マウントを示す皮膚側から見た底面図である。
【図２】例示的なデバイス側接着材の配置を図示する、図１の接着マウントを示すウェアラブルデバイス側から見た上面図である。
【図３】接着マウントに取り付けられたウェアラブルデバイスを示す、皮膚側からみた底面斜視図である。
【図４】図１の接着マウントと共に使用可能なウェアラブルデバイスの上部斜視図である。
【図５】本発明の実施形態に係る例示的な同一平面コンタクトを図示する図４のウェアラブルデバイスの底部の図である。
【図６】図１の接着マウントと位置合わせされているウェアラブルデバイスを図示する側面斜視図を図示する。
【図７】本発明の実施形態に係るウェアラブルデバイスのコンタクトを、接着材が被覆、絶縁、および分離している様子を示す、図６のウェアラブルデバイスおよび接着マウントを図示する正面斜視図である。
【図８】ウェアラブル接着材に適合するよう形成された中央領域を有し、上部部分のデザインを交換可能とするウェアラブルデバイスの上面図である。
【図９】ウェアラブル接着材で図８のウェアラブルデバイスの上部に接着するように適合されている切り欠きの上面図である。別途指示されない限り、図面における図示は、縮尺通りに描写されるとは限らない。本発明および本発明のさまざまな実施形態は、ここで、例示された実施形態が説明される以下の詳細な説明を参照することによって、より良く理解することができる。例示された実施形態が、例として記載され、請求項に定義される究極的なものとしての本発明に対する限定のためではないことを明確に理解されたい。
【発明を実施するための形態】
【００１９】
本明細書で用いられる用語は、特定の実施形態を説明する目的のためだけであり、本発明の限定を意図するものではない。本明細書に用いられるように、「および／または」という用語は、関連付けて列挙されたアイテムのうち１つまたは複数の任意およびすべての組み合わせを含む。本明細書に用いられるように、「ａ」、「ａｎ」、および「ｔｈｅ」等の単数表現は、文脈がそうでないことを明示しない限り、単数表現を含むだけでなく、複数表現も含むことを意図する。
【００２０】
「備える」および／または「備えている」の用語は、本明細書で使用される場合、記述された特徴、段階、動作、要素、および／または構成要素の存在を規定するが、１つまたは複数の他の特徴、段階、動作、要素、構成要素、および／またはそれらのグループの存在または追加を排除するものではないことをさらに理解されたい。そうでないと定義されない限り、本明細書で使用されるすべての用語（専門用語および科学用語を含む）は、本発明に属する当業者によって一般に理解されるものと同じ意味を有する。
【００２１】
一般に使用される辞書で定義される用語等は、関連技術および本開示の文脈における意味と一貫した意味を有すると解釈されるべきであり、本明細書で明示的にそのように定義されない限り、理想化された、または過度に形式的な意味に解釈されることとなるべきではないことをさらに理解されたい。本発明の説明において、複数の技術および段階が開示されることとなることを理解されたい。これらのそれぞれが個々の利益を有し、且つそれぞれが、他の開示された技術の１つまたは複数、または場合によってはすべてと共に使用されてもよい。
【００２２】
従って、明確化のために、本説明は、必要のない方式において個々の段階の考えられるすべての組み合わせ繰り返すことを控えることとする。それでも、本明細書および請求項は、本発明および請求項の範囲内にそのような組み合わが完全に含まれることを理解し、読まれるべきである。
【００２３】
以下の説明において、説明のために、多くの特定の詳細は、本発明の完全な理解を提供すべく記載される。しかしながら、当業者にとって、これらの特定の詳細なしで本発明を実施し得ることは明らかとなる。
【００２４】
本開示は、本発明の例示としてみなされ、以下の図面または説明によって図示される具体的な実施形態に本発明を限定することを意図していない。そうでないと本明細書で明示的に規定されない限り、少なくとも汎用相互通信である、デバイスまたはシステムモジュールは、連続した相互通信である必要はない。さらに、少なくとも汎用相互通信である、デバイスまたはシステムモジュールは、１つまたは複数の中間体を通じて、直接的または間接的に通信してよい。
【００２５】
相互通信しているいくつかのコンポーネントを伴う実施形態の説明は、そのようなコンポーネントのすべてが必須であることを暗示するものではない。これに対し、さまざまな任意選択コンポーネントは、本発明の可能な多種多様な実施形態を示すよう説明される。本明細書で用いられるように、「ウェアラブル」または「ウェアラブルデバイス」の用語は、通常、ヒト等の哺乳類のユーザによって着用されるよう構成される任意のデバイスを言及する。
【００２６】
ウェアラブルデバイスは、遠隔型の治療または疾患のモニタリングのためのスポーツトラッカー、健康管理およびデータ収集のための集中力またはエネルギーのレベルの計測器、ナビゲーションツールとして、通信ツールとして、投薬デバイス等のフィットネストラッカー等、さまざまな用途において有益であり得る。広義では、本発明の実施形態は、従来のウェアラブルおよびウェアラブルマウントが抱える多くの課題を解決するウェアラブルおよび／またはウェアラブルマウントに関する。例えば、ウェアラブルマウントは、ウェアラブルマウント接触面積に対する接着材接触面積の比率を低く設計することができる一方、１つの特定のスポットにおける投薬および／またはデータ収集が可能となり、さらになお、取り外すことが容易な接着材を利用することができる。この構成は、ウェアラブルマウントが皮膚に取り付けられた場合でさえ、体の自由な動きを容易にしてよい。
【００２７】
ウェアラブルは、面コンタクトを有してよく、損傷を受ける可能性のあるポートが必要なくなる。面コンタクトによって、デバイス着用中、コンタクトは絶縁特性および分離特性を持つ。
【００２８】
最終的に、ウェアラブルは、ハウジングの変更または他のコストのかかる解決法を必要とすることなくウェアラブルの外観を変えることを可能とする、パッチ型ウェアラブルであってよい。図１を参照すると、ウェアラブルマウント１０とも呼ぶ接着層１０の皮膚接触側１２の上面図が図示されている。接着層１０は、閉リングを形成する中央接着材１４を含むとしてよい。中央接着材１４内には切り欠き１６が設けられ、例えば、センサ位置を示す。切り欠き１６は、センサ要件に応じたものであってよく、存在してもしなくてもよい。接着材１４は、さまざまな形状に形成されてよい。三角形状の接着材１４を図１に示す。
【００２９】
追加接着材１８は、接着層１０の端部に配置されてよい。例えば、示されるように接着層１０が三角形である場合、接着材１８は、三角形の接着層１０の３つの角のそれぞれにて配置されてよい。同様に、接着層１０が矩形または正方形である場合、接着材１８は、接着層１０の４つの角のそれぞれにて配置されてよい。図面では接着層１０の端部に設けられる接着材１８を示すが、ユーザの皮膚に接着層１０を接続する接着材１８について本発明の範囲内では他のパターンが考えられる。設計に関わらず、通常、接着層１０の下側１２の面積に対しての接着材１８の面積の比率を低くすることで、ユーザの皮膚に接着層１０を取り付けるために十分である一方で、ユーザが動いている間の可撓性を確保する程度とする。このように比率を低くすることで、例えば、接着材１８の面積が接着層１０の下側１２の総面積の５０％より小さくなる。しばしば、接着材１８の面積は、接着層１０の下側１２の総面積の２５％より小さくてよく、通常、２０％よりさらに小さい。
【００３０】
通常、ウェアラブルは、皮膚側全体を被覆する接着材を含み、上述の多くの課題が生じる。本発明における接着材の配置によって、接着材１４によって（必要な場合には）皮膚上に固定された領域が得られると共に、接着層１０の端部にだけ接着材１８を設けることによって可撓性も実現する。接着層１０は弾性材料で形成されてよい。
【００３１】
いくつかの実施形態において、弾性材料は、ユーザの動きが当該材料の可撓性によって吸収される程度の十分な弾力性を有してよく、接着材１８は、ユーザが動いている間、皮膚に取り付けられたままである。本実施形態において、接着層の弾性材料は、「高い弾力性を持つ」接着層と定義されてよい。
【００３２】
ここで図２を参照すると、接着層１０のウェアラブル実装側２０が示される。ウェアラブル実装側２０は、デバイス側接着材２２を含むとしてよい。デバイス側接着材２２は、一般的に、ウェアラブル４０（図５参照）のセンサ（図示せず）の近傍に配置されて、ウェアラブルを接着層１０にしっかり接合させた状態を保持するとしてよい。さらに、以下でより詳細に説明されるように、接着材２２の形状は、ウェアラブル４０のコンタクト４６（図５参照）を被覆するよう設計することができる。図３を参照すると、実装されたウェアラブル２４は、接着マウント１０に取り付けることができ、接着材１８は、ユーザの皮膚に接着マウント１０を取り付けるために用いられる。以上から分かるように、いくつかの実施形態において、ウェアラブル２４は接着マウント１０の一部に取り付けられるので、ユーザが動く場合に接着マウント１０が屈曲できる。
【００３３】
本実施形態において、実装されたウェアラブル２４は、硬くてもよいし、または可撓性を持つとしてもよい。いくつかの実施形態において、実装されたウェアラブル２４は、可撓性を持ち、接着材の表面積がより大きい接着マウント１０に取り付けられてよい。接着材１４、１８および２２、ならびに、接着層１０は、さまざまな厚さ、色、形状、およびデザインに設計することができることに留意すべきである。そのような実施形態は、具体的に図示または説明はしないが、本発明の範囲内に含まれる。
【００３４】
図４では、ウェアラブル４０の上部側４２が示される。図５は、ウェアラブル４０の接着層接触側とも呼ぶ、下側４４を示す。図６は、接着層１０に実装されている途中のウェアラブル４０の下側４４を示す。上述したように、典型的なウェアラブルは、充電、更新、またはデータ転送等のためのポートを含むことができる。これらのポートは、水分によって損傷を受ける場合がある。本発明の実施形態に係るウェアラブル４０は、ウェアラブル４０を接着層１０に取り付ける位置に配置される同一平面コンタクト４６を含むとしてよい。コンタクト４６は特定の数およびパターンが図５および図６に示されるが、本発明の趣旨の範囲内て、特定の用途の要件に応じて、さまざまな数およびパターンのコンタクト４６を用いてよい。従って、接着材２２（図２参照）がウェアラブル４０に取り付けられた場合、接着材２２がコンタクト４６を被覆する。いくつかの実施形態において、図７に示されるように、接着材４８をコンタクト４６に設けることで、コンタクトの分離および絶縁を確実にするとしてよい。コンタクト４６にアクセスする必要がある場合、単に接着材４８を取り外せばよい。
【００３５】
ここで図８および図９を参照すると、本発明のいくつかの実施形態において、ウェアラブル４０は、その上面に接着性接着領域８０を少なくとも１つを有するとしてよい。接着性接着領域８０は、ウェアラブルのために用いられる通常の接着材に接着する導電材料から形成されることができる。ウェアラブルの上面は通常、シリコーン等、ウェアラブル接着材を接着できない材料から作成される。
【００３６】
本発明の実施形態において、ウェアラブル４０の上面の全てまたは一部が、接着材４８が接合することができる底面と同様または同一の材料で形成することができる。接着性接着領域８０が存在することで、接着マウント１０にウェアラブル４０を設ける場合に用いられる同じ接着材を使用することによって、ユーザは、図９に示されるように、さまざまな切り欠き８２を適用することができる。従って、ユーザは、希望に応じてウェアラブル４０の外面の色およびデザインを変えることができる。さらなる変更を所望する場合は、ユーザは単に、切り欠き８２およびその接着材を取り外して、追加接着材を介して新しいデザインを取り付ければよい。
【００３７】
図９に示される切り欠き８２は、アイアンマンの電源の画像であり、マーベルコミックス（Ｍａｒｖｅｌ  Ｃｏｍｉｃｓ）の所有物である。この切り欠き８２は例示に過ぎず、切り欠き８２のさまざまなサイズ、形状、デザイン、および色等が本発明の範囲内で考えられている。
【００３８】
本発明の上記実施形態は、従来のウェアラブルおよびウェアラブルマウントと比較して識別可能ないくつかの特徴を提供する。これらのうちの一部の特徴は、そのような特徴のすべてを含まないが、以下で説明される。
【００３９】
本発明の実施形態は、接着材の使用を少なくするので、皮膚炎症のリスクが低減される。これらの実施形態において、接着材のスポットは、接着層の全体よりむしろ、角およびメインセンサエリアに配置される。本発明の実施形態はさらに、皮膚にダメージを与えるリスクを低減するイージーピール接着材の使用を可能とする。従来のウェアラブルは、傷を閉じることを目的とする包帯型接着材を用いる場合がある。本発明の実施形態によれば、小さい中央固定点を除き、皮膚とは無関係にウェアラブルを動かすことが可能となるので、動きに起因する不快感を低減する。従来のウェアラブルは、皮膚にしっかりと接合される固定型接着材を使用しているので、皮膚の自由な動きが制限される。
【００４０】
接着材の配置方法によってそれぞれの用途において用いられる接着材の量が低減され、接着材コンポーネントの総コストを低減するので、システムのオペレーティングコストが低減される。本発明の実施形態は、電力および通信のために占有される空間を可能な限り小さくし、基本的に面コンタクトの空間だけとすることを可能とする。従来のウェアラブルが含むポートは、容量が大きく、ウェアラブルの厚さを規定する。本発明の実施形態によれば、日々利用されているものと同じ接着材で電気コンタクトを絶縁および分離することが可能となる。従来のウェアラブルは、ポートカバーおよびスライドを有し、これらの破損または紛失によってデバイスが動作不可能とされる。
【００４１】
本発明のコンタクトは概して、カバーを有するポートよりかなりコストが低い。さらに、本発明のコンタクトは、製造プロセスの複雑性を低減する。本発明の実施形態によれば、すでに設けられている接着材を利用して単に新しいパターンを粘着することだけで、ウェアラブルの外観を変えることが可能である。
【００４２】
これは、プリントアウトまたは切り欠き等の単純な製造方法による外観表現を可能とする。これによってさらに、ウェアラブルはユーザが魅力的と感じる形状およびキャラクターを採用することが可能となるので、利用に対する意欲を高めることができる。
【００４３】
多くの改変および修正は、当業者によって、本発明の趣旨および範囲から逸脱することなくされてよい。従って、例示された実施形態は、例示のためだけに記載され、それらは以下の請求項によって定義されることにより本発明を限定すべきものではないことを理解しなくてはならない。例えば、請求項の構成要素がある特定の組み合わせで以下に記載されている事実にもかかわらず、本発明は、開示された構成要素の、より少ないか、より多いか、または異なる他の組み合わせを含むことを明確に理解しなければならない。
【００４４】
本発明、およびさまざまな実施形態を説明するために本明細書で使用される用語は、それらの一般的に定義される意味の認識においてだけでなく、本明細書における特別な定義によってそれらが単独の実施例を表す、一般的な構造、材料、または作用も含むことを理解されたい。従って、以下の請求項の用語、または構成要素の定義は、本明細書において、文字通り記載されている構成要素の組み合わせを含むだけではないと定義される。従って、この意味で、考えられる２つ以上の構成要素の等価置換は、以下の請求項の構成要素における任意の１つとされてよく、または単一の構成要素は、請求項の２つ以上の構成要素と置換されてよい。
【００４５】
構成要素は特定の組み合わせで作用するものとして上記で説明されてよく、最初にそのように請求されてもよいが、請求された組み合わせからの１つ以上の構成要素は、場合によっては組み合わせから削除することができ、請求された組み合わせは、部分的な組み合わせ、または部分的な組み合わせのばらつきを対象としてもよいことを明確に理解されたい。ここで既知、または後で考案する、当業者によってみなされる請求された主題からのごくわずかな変更は、請求項の範囲内で等価であると明確に考えられる。従って、現在、または後に当業者に知られる明らかな置換は、定義された構成要素の範囲内に定義される。従って、請求項の範囲は、上記で具体的に例示され、且つ説明されたもの、概念的に等価なもの、明らかに置換可能なもの、および本発明の本質的な概念を組み込んだものも含むと理解されるべきである。
【図１】
2019518576.tif 000003
【図２】
2019518576.tif 000004
【図３】
2019518576.tif 000005
【図４】
2019518576.tif 000006
【図５】
2019518576.tif 000007
【図６】
2019518576.tif 000008
【図７】
2019518576.tif 000009
【図８】
2019518576.tif 000010
【図９】
2019518576.tif 000011
【国際調査報告】
2019518576.tif 000012